(57)【要約】      （修正有）【課題】モジュールの本数に限らず、多数でも少数でも対応でき、製品全体の信頼性も高く、メンテナンスが簡単であり、コストも削減できる高出力のモジュール化されたＬＥＤ天井灯照明を提供する。【解決手段】アーム、ヒートシンク、左右蓋、小接続具、大接続具、電源、ＰＣカバー、光源、固定用ベース板を含む照明製品であり、ヒートシンクはＰＣカバーと左右蓋でタッピングネジにて固定されており、左右蓋の間に密閉シリコンが配置され、左右蓋の外側は小接続具で六角ボルトにて固定されている。様々な長さに対応でき、黒色外観で、輻射能力が強く、モジュールの間には空気を対流するための隙間を設計し、且つ放熱性の良い、熱抵抗の低いダイキャストを採用したので、放熱性が優れている。【選択図】図１
0003205780.tif 000002
【実用新案登録請求の範囲】
【請求項１】
高出力のモジュール化されたアーム（１）、ヒートシンク（３）、左右蓋（５）、小接続具（８）、大接続具（１０）、電源（１１）、ＰＣカバー（１２）、光源（１３）、固定用ベース板（１４）を含み、  ヒートシンクはＰＣカバーと左右蓋でタッピングネジにて固定され、ヒートシンクは左右蓋の間に密閉シリコンが配置され、  六角ねじで左右蓋（５）の外側に小接続具（８）が、小接続具（８）に大接続具（１０）が、大接続具（１０）にペンダント（１）が繋がれ、  ヒートシンク（３）には電源（１１）、光源（１３）、固定用ベース板（１４）が設置され、  固定用ベース板（１４）と電源（１１）は袋ナット（１５）で固定され、  固定用ベース板（１４）には光源（１３）が設置され、  ヒートシンク（３）はストップ溝にてＰＣカバーと勘合され、  ヒートシンク（３）の裏面には配線用の防水対応のコネクタが配置される、  ことを特徴とする高出力のモジュール化されたＬＥＤ天井灯照明。
【請求項２】
前記六角ネジにはナットが揃えられている、  ことを特徴とする請求項１に記載の高出力のモジュール化されたＬＥＤ天井灯照明。
【請求項３】
前記ヒートシンク（３）とＰＣカバーは小接続具（８）で繋れる、  ことを特徴とする請求項１に記載の高出力のモジュール化されたＬＥＤ天井灯照明。
【請求項４】
前記ＰＣカバーは乳白色カバー、透明模様カバー、透明カバー、小角度レンズで構成される、  ことを特徴とする請求項１に記載の高出力のモジュール化されたＬＥＤ天井灯照明。
【請求項５】
前記ヒートシンク（３）は黒色であり、上側に放熱フィンが設けられ、且つ隣接するヒートシンクの間には対流のための隙間が形成される、  ことを特徴とする請求項１に記載の高出力のモジュール化されたＬＥＤ天井灯照明。
【請求項６】
前記左右蓋（５）にはねじ穴が設けられ、前記ねじ穴を通して安全ロックが設けられる、  ことを特徴とする請求項１に記載の高出力のモジュール化されたＬＥＤ天井灯照明。 
【考案の詳細な説明】
【技術分野】
【０００１】本考案は照明技術分野、特に高出力のモジュール化されたＬＥＤ天井灯照明に関する。
【背景技術】
【０００２】  ＬＥＤ天井灯照明は、つまり工場、鉱山の作業中に使われる照明器具のことである。ＬＥＤ天井灯照明は、普通にわれる各照明以外に、特別な場合に使う防爆照明や防腐照明もある。それ以外に、高層ビルに使われる照明もある。
【考案の概要】
【考案が解決しようとする課題】
【０００３】  従来の一般的なＬＥＤ天井灯照明はほぼ一式的な構造で、電源ひとつで、モジュールはひとつで、発光角度は一種類で、それに、一定のグレアーもついてる。一般的には、ＬＥＤ天井灯照明は相対的に高く、あるいは、条件の悪いところに取り付けるため、交換するためには上昇下降設備が必要であり、メンテナンスのコストが高い。  本考案の目的は現有技術の不足を克服して、高出力のモジュール化されたＬＥＤ天井灯照明を提供する。
【課題を解決するための手段】
【０００４】  本考案は以下のように目的を実現する。アーム、ヒートシンク、左右蓋、小接続具、大接続具、電源、ＰＣカバー、光源、固定用ベース板などがある。ヒートシンクとＰＣカバーがタッピングねじで繋がれ、左右蓋がつけられる。そして、ヒートシンクと左右蓋の間には密閉シリコンがつけられる。そして、六角ねじで左右蓋の外側に小接続具を、小接続具に大接続具を、大接続具にアームを繋いでいる。ヒートシンクには電源、光源、固定用ベース板が設置される。また、固定用ベース板と電源は皿ねじで固定される。また、固定用ベース板には光源が設置され、ヒートシンク（３）はストップ溝にてＰＣカバーと勘合している。ヒートシンクの上の裏面には配線用の防水対応のコネクタがある。【０００５】好ましくは、六角ねじにはナットが付けられる。【０００６】好ましくは、ヒートシンクとＰＣカバーは小接続具で繋がれる。【０００７】好ましくは、ＰＣカバーは乳白色カバー、透明縞状カバー、透明カバー、小角度レンズで構成されている。【０００８】好ましくは、ヒートシンクは黒色であり、上側には放熱フィンが設けられ、電源は内部につけてもいいし、外部の放熱部につけてもいい。電源は、ねじ穴を開けずにタッピングねじで直接放熱フィンに固定でき、隣接するヒートシンクの間には対流するための隙間もある。【０００９】好ましくは、左右蓋にはねじ穴が設置され、ねじ穴を通して安全ロックがつけられる。【００１０】好ましくは、製品はモジュール化設計を採用する。つまり、各モジュールが電源と光源を含む。
【考案の効果】
【００１１】本構造によるランプの効果１、ダイキャスト型のアルミヒートシンクやＰＣカバー、柱状シリコンを使うため、ＩＰ６６保護ランクを満足すると同時に器具の長さも自由に調整できて、特殊要求がある場合に満足できる。２、器具の放熱性が優れて、消費電力も自由に対応できるため、ＬＥＤ天井灯照明の応用分野がより広くなった。３、寿命が長く、取り付け易く、メンテナンスも簡単にできる。４、応急モジュール（充電放電回路、電池、指示灯）の採用により器具は非常時用機能を有する。つまり、電源が落ちてもしばらく使い続けることができる。５、モジュールの個数はニーズに合わせて変更することが可能である。６、モジュール化設計により、各モジュールには電源と光源が含まれる。電源は内部につけてもいいし、外部の放熱部につけてもいい。モジュールは互いに影響しないから、ひとつのモジュールが故障しても、残ったモジュールで続けて動作でき、器具全体の信頼性が向上し、メンテナンスのコストダウンをできる。７、ねじ穴を開けなくても、タッピングねじで放熱フィンを直接固定できるため、加工コストを節約できる。
【図面の簡単な説明】
【００１２】本考案の実施事あるいは現有の技術提案を詳しく説明するために、これからかかわる付図を簡単に説明する。明らかように、以下の付図は本考案の一部分の事例図に過ぎない。この分野の普通の当業者にとっては、創造力を用いず、簡単にこれらの付図から他の図面が得られる。【図１】図面１は本考案の立体図。
【図２】図面２は本考案の正面図。
【図３】図面３は本考案の平面図。
【図４】図面４は本考案の側面図。
【図５】図面５は本考案の分解図。
【考案を実施するための形態】
【００１３】本考案のメリットをよりわかりすくするために、これから付図と実施例を見ながら本考案を説明する。まず説明するのは、ここの具体的の例は本考案を説明するために挙げた例で、この例だけにこだわるものではない。
【００１４】図面１−５のように、本考案は高出力のモジュール化されたＬＥＤ天井灯照明に関する。アーム１、ヒートシンク３、左右蓋５、小接続具８、大接続具１０、電源１１、ＰＣカバー１２、光源１３、固定用ベース板１４などを含む。ヒートシンク３とＰＣカバー１２がタッピングねじで繋がれ、左右蓋５がつけられる。そして、ヒートシンク３と左右蓋５の間には密閉シリコン４がつけられる。そして、六角ねじ９で左右蓋５の外側に小接続具８が、小接続８に大接続具１０が、大接続具１０にアーム１が繋がれる。ヒートシンク３には電源１１、光源１３、固定鉄板１４が設置される。また、固定用ベース板１４と電源１１は皿ねじ１５で固定される。また、固定用ベース板１４には光源１３が設置され、ヒートシンク（３）はストップ溝にてＰＣカバーと勘合される。ヒートシンク３の上の裏面には配線用の防水対応のコネクタがある。
【００１５】注意すべきなのは、六角ねじ９にはナット７が付いてる。
【００１６】注意すべきなのは、ヒートシンク３とＰＣカバー１２を小接続具８で繋いでいる。
【００１７】注意すべきなのは、ＰＣカバー１２は乳白色カバー、透明縞状カバー、透明カバー、小角度レンズで構成されている。
【００１８】注意すべきなのは、ヒートシンク３は黒色で、上側には放熱フィンが設けられから、電源は内部につけてもいいし、外部の放熱部につけてもいい。電源はねじ穴を開けなくてもタッピングねじで直接放熱フィンに固定できて、隣接するヒートシンクの間には対流するための隙間がある。
【００１９】注意すべきなのは、左右蓋５にはねじ穴が設置して、ねじ穴を通して安全ロックをつける。
【００２０】それに、製品はモジュール化設計を採用してる。つまり、各モジュールが電源と光源を含む。
【００２１】本製品はダイキャスト型のアルミヒートシンクやＰＣカバー、柱状シリコンを使うため、ＩＰ６６保護ランクを満足すると同時に器具の長さも自由に調整でき、特殊要求がある場合に満足できる。器具の放熱性が優れ、消費電力も自由に設計できる、ＬＥＤ天井灯照明の応用分野がより広くなる。寿命が長く、取り付け易くし、メンテナンスも簡単にできる。応急モジュール（充電放電回路、電池、表示灯）の採用により器具は非常時用機能を有する。つまり、電源が落ちてもしばらく使い続けることができる。ジョイント本数には制限がなく、実際の要求によってジョイントできる。モジュール化により、交換し易い。モジュールには互いに影響しないから、ひとつのモジュールが故障しても、残ったモジュールを続けて動作できる。
【００２２】上記は、本考案（実用新案）の優先的に選択した実施方式である。本技術領域の普通の技術者にとって、本考案（実用新案）の原理を保った上で、若干の改善と修正をすることができ、これらの改善と修正は本考案（実用新案）の保護範囲と考慮されるものと指摘しなければならない。 
【図１】
0003205780.tif 000003
【図２】
0003205780.tif 000004
【図３】
0003205780.tif 000005
【図４】
0003205780.tif 000006
【図５】
0003205780.tif 000007